(57)【要約】      （修正有）【課題】使い方が便利で、歩行用の靴としても保健用の靴としても用いることができ、保健面での効果もよく、いつでもどこでも運動することができるダイエット長寿シューズを提供する。【解決手段】この靴表面は前部靴表面２と後部靴表面から構成され、該前部靴表面は折りたたむことができ、折りたたむことで前部靴表面の高さが制御される。該前部靴表面には折りたたんだ際に該前部靴表面の高さを固定するマジックテープ付のフックがついている。上述の後部靴表面には靴を足に固定する固定バンド６が設けられている。上述の靴底の中央には、幅方向に沿って一本のストッパー４がついている。上述の靴の中敷きの中央には、上述のストッパー４に適合する溝がある。この中敷きの前部と後部は幅が一致し、溝にそって外側に折ることができる。折りたたんだ中敷きは靴内部のストッパーの後部に入れることもでき、また靴内部のストッパー４の前部に入れることもできる。【選択図】図１
0003187916.tif 000002
【実用新案登録請求の範囲】
【請求項１】
一種のダイエット長寿シューズであり、靴底、靴表面、靴の中敷きがこれに含まれる。その特徴は以下の通りである。その靴底の中央に近い部分には、幅方向に沿って１本のストッパーが設けられている。その靴の中敷きの中央には、上述の１本のストッパーに合う凹んだ溝があり、その靴の中敷きの前部、後部の幅は一致していて、凹んだ溝に沿って外側に折りたたむことができる。折りたたんだ後の中敷きは靴のストッパーの後部に入れることができ、また靴のストッパーの前部に入れることもできる。
【請求項２】
権利要求１のダイエット長寿シューズには次の特徴がある。この靴表面は前部靴表面と後部靴表面から構成され、前部靴表面は折りたたむことができる。前部靴表面には前部靴表面を折りたたんだ際に前部靴表面の高さを固定するマジックテープ付のフックがついている。上述の後部靴表面には靴を足面に固定する固定バンドが設けられている。
【請求項３】
権利要求１または２のダイエット長寿シューズには次の特徴がある。靴内部の上述のストッパーの前部両側には幅を増すための中敷きがある。
【請求項４】
権利要求３のダイエット長寿シューズには次の特徴がある。上述の幅を増すための中敷きには上下の２つの層があり、上述の幅を増すための中敷きの上の層は前端のみが上述の前部靴表面とつながっている。
【請求項５】
権利要求１のダイエット長寿シューズには次の特徴がある。前述の中敷きには足の裏のツボをマッサージする突起物がある。
【請求項６】
権利要求１のダイエット長寿シューズには次の特徴がある。上述の前部靴表面は、靴底前部両側とつながり、長さの調節に適した可動式のフック構造の採用に適している。
【考案の詳細な説明】
【技術分野】
【０００１】本実用新案は、一種の靴、特に一種のダイエット長寿シューズにかかわるものである。
【背景技術】
【０００２】生活のリズムが速まるとともに、人々は健康を考えて、様々なスポーツで体を鍛えるようになってきた。多様化するスポーツには相応のスポーツシューズが必要だが、スポーツシューズは大きくて場所を取り、携帯には不便なものである。中国の特許２０１１２０５３０３８６．９で保健シューズが公開されている。これには靴底と靴表面が含まれる。その靴底は更に前部靴底と後部靴底から構成される。相応の靴表面もまた前部靴表面と後部靴表面から構成される。この前部靴底と後部靴底にはそれぞれ連続した凹んだ溝と連続した凸状の筋が設けられている。凸状の筋は凹んだ溝の中に設けられている。その前部靴底の底面には、足の指をマッサージする凸状の細長い部分と足の裏をマッサージする凸状の細長い部分が設けられている。上述の既存の技術に不足の点は、保健シューズは使用する際に分解する必要があり、扱いがやや煩雑であること、また、平時の歩行用の靴としては使えず、体を鍛えに出かけるためには歩行用の靴も持って行かねばならないことである。つまり、携帯が不便だという問題がある。
【考案の開示】
【考案が解決しようとする課題】
【０００３】本実用新案で解決すべき技術的な問題は、体を鍛えるためのダイエット長寿シューズを提供することであり、これは、歩行用の靴として用いられると同時に、保健用の靴としても使用できる。
【課題を解決するための手段】
【０００４】上述の技術的な問題を解決するため、本実用新案では、一種のダイエット長寿シューズを提供する。これには、靴底、靴表面、靴の中敷きが含まれる。【０００５】この靴表面には、前部靴表面と後部靴
表面が含まれる。この前部靴表面は折り畳みに適しており、前部靴表面の高さを抑えることができる。前部靴表面には前部靴表面を折りたたんだ際に前部靴表面の高さを固定するマジックテープつきフックが設けられている。その後部靴表面には、靴を足に固定する固定バンドが設けられている。【０００６】その靴底の中央に近い部分には、幅方向に沿って１本のストッパーが設けられている。【０００７】その靴の中敷きの中央には、上述の１本のストッパーに合う凹んだ溝があり、その靴の中敷きの前部、後部の幅は一致していて、凹んだ溝に沿って外側に折りたたむことができる。折りたたんだ後の中敷きは靴内部のストッパーの後部に入れることができ、また靴内部のストッパーの前部に入れることもできる。【０００８】靴内部の、上述のストッパーの前部両側には幅を増すための中敷きが設けられており、折りたたむ前の中敷きを靴内部のストッパー前部に入れた際に、その幅を増すための中敷き部分で靴の前部の幅が広くなり、普通の中敷きの形状と寸法になって、心地よく履くことができる。【０００９】更なる改善の方法として、上述の幅を増すための中敷きには上下の２つの層があり、折りたたんだ中敷きを靴内部のストパー前部に入れた時に、その２層が靴の前部の幅を増して普通の中敷きの形状と寸法とし、心地よく履くことができるようになる。上述の幅を増すための中敷きの上の層は前端のみが上述の前部靴表面とつながっている。【００１０】更なる改善の方法として、前述の中敷きには足の裏のツボをマッサージする突起物がある。【００１１】もう一つの実施方法として、上述の前部靴表面は、靴底前部両側とつながり、長さの調節に適した可動式のフック構造の採用に適している。
【考案の効果】
【００１２】本実用新案で述べるダイエット長寿シューズは、使い方が便利で、歩行用の靴としても保健用の靴としても使用でき、保健面での効果もよく、いつでもどこでも運動ができる。
【考案の実施するための最良の形態】
【００１３】歩行に使用する場合、中敷きの溝をストッパーに合わせると、靴の中敷きが平らになり、普通の靴として使用することができる。運動時には、中敷きを折りたたみ、靴内部の前面または後方に入れる。こうすると、靴は一方が高くなり、一方が低くなって、これを履けば運動ができる。前が高く後ろが低い場合、人間の体の重心作用が足の後ろ半分に移り、膝から下の筋肉が緊張状態に置かれ、膝から下の筋肉が鍛えられる。前が低く後ろが高い場合には、足の指と足の裏がマッサージされ、血の循環が促進される。
【図面の簡単な説明】
【００１４】本実用新案をよりはっきりと理解できるよう、次に具体的な実施例と付図を組み合わせて本実用新案について更に詳細に説明する。【００１５】
【図１】本実用新案で述べるダイエット長寿シューズの構造説明図である。
【図２】図１の一部の透視断面図である。
【図３】上述のダイエット長寿シューズの内部構造説明図である。
【図４】靴の中敷きの構造説明図である。
【図５】上述のダイエット長寿シューズの使用状態説明図である。
【図６】折りたたんだ中敷きをストッパー前部に入れた場合の構造説明図である。
【図７】折りたたんだ中敷きをストッパー後部に入れた場合の構造説明図である。
【図８】折りたたんでいない中敷きをストッパーに合わせた場合の構造説明図である。
【図１】
0003187916.tif 000003
【図２】
0003187916.tif 000004
【図３】
0003187916.tif 000005
【図４】
0003187916.tif 000006
【図５】
0003187916.tif 000007
【図６】
0003187916.tif 000008
【図７】
0003187916.tif 000009
【図８】
0003187916.tif 000010
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
靴底、靴表面、靴の中敷きからなるダイエット長寿シューズにおいて、前記靴底は、その中央に近い部分に幅方向に沿って１本のストッパーを有し、前記靴の中敷きは、前部、後部の幅が一致しているとともに、その中央に前記１本のストッパーに合う凹状溝を有することにより、凹状溝に沿って前後に折り畳み可能とされていることを特徴とするダイエット長寿シューズ。
【請求項２】
請求項１のダイエット長寿シューズにおいて、前記靴表面は前部靴表面と後部靴表面から構成され、前部靴表面は図面１にあるように中央から左右幅方向に分かれるように開閉することができ、また折りたたんだ際に前部靴表面の高さを固定する面ファスナーのフックを有し、前記後部靴表面には靴を足面に固定する固定バンドが設けられていることを特徴とするダイエット長寿シューズ。
【請求項３】
請求項１または２のダイエット長寿シューズにおいて、靴内部の前記ストッパーの前部両側には幅を増すための中敷きがあることを特徴とするダイエット長寿シューズ。
【請求項４】
請求項３のダイエット長寿シューズにおいて、前記ダイエット長寿シューズの幅を増すための中敷きには上下の２つの層があり、前記幅を増すための中敷きの上の層は前端のみが前記前部靴表面とつながっていることを特徴とするダイエット長寿シューズ
【請求項５】
請求項１のダイエット長寿シューズにおいて前記中敷きには足の裏のツボをマッサージする突起物があることを特徴とするダイエット長寿シューズ。
【請求項６】
請求項１のダイエット長寿シューズにおいて、前記前部靴表面は、靴底前部両側とつながり、長さの調節に適した可動式のフック構造の採用に適していることを特徴とするダイエット長寿シューズ。
【手続補正２】
【補正対象書類名】明細書
【補正対象項目名】０００５
【補正方法】変更
【補正の内容】
【０００５】この靴表面には、前部靴表面と後部靴表面が含まれる。この前部靴表面は折り畳みに適しており、前部靴表面の高さを抑えることができる。前部靴表面には前部靴表面を折りたたんだ際に前部靴表面の高さを固定する面ファスナーつきフックが設けられている。その後部靴表面には、靴を足に固定する固定バンドが設けられている。
【手続補正書】
【提出日】平成25年10月2日(2013.10.2)
【手続補正１】
【補正対象書類名】実用新案登録請求の範囲
【補正対象項目名】請求項２
【補正方法】変更
【補正の内容】
【請求項２】
請求項１のダイエット長寿シューズにおいて、
前記靴表面は前部靴表面と後部靴表面から構成され、
前部靴表面は、左右の側甲被部及びこれらに繋がる一対の上甲被部、並びに、タン部を備え、前記一対の上甲被部は、折りたたんで上甲部を被うことができ、かつ、中央から左右幅方向に分かれるように開閉することができ、また折りたたんだ際に前部靴表面の高さを固定する面ファスナーのフックを有し、前記後部靴表面には靴を足面に固定する固定バンドが設けられていることを特徴とするダイエット長寿シューズ。
【手続補正２】
【補正対象書類名】実用新案登録請求の範囲
【補正対象項目名】請求項４
【補正方法】変更
【補正の内容】
【請求項４】
請求項１のダイエット長寿シューズにおいて、
前記靴表面は前部靴表面と後部靴表面から構成され、
靴内部の前記ストッパーの前部両側には幅を増すための中敷きがあり、
前記幅を増すための中敷きには上下の２つの層があり、
前記幅を増すための中敷きの上の層は前端のみが前記前部靴表面とつながっていることを特徴とするダイエット長寿シューズ。
【手続補正３】
【補正対象書類名】実用新案登録請求の範囲
【補正対象項目名】請求項６
【補正方法】変更
【補正の内容】
【請求項６】
請求項１のダイエット長寿シューズにおいて、
前記靴表面は前部靴表面と後部靴表面から構成され、
前記前部靴表面は、靴底前部両側とつながり、
長さの調節に適した可動式のフック構造の採用に適していることを特徴とするダイエット長寿シューズ。